(57)【要約】　　　（修正有）【課題】　紫外線強度を正確に得ることや、使い勝手の良い紫外線感知装置を提供する。【解決手段】　携帯型時計装置１は、ハウジングの収納スペースに制御回路ユニット１１と、表示ユニット１２と、記憶ユニット１３と、入力ユニット１４と、時計ユニット１５と、バッテリー１６と、紫外線検出ユニット１７と、時間強度累積機１８とから成り、周囲の紫外線強度と累積された強度を検出及び表示ができる紫外線検知機能及び警告機能を有する。【選択図】　図１
2004117358.tif 000002
【特許請求の範囲】
【請求項１】
　紫外線を検知する機能と、時間及びデータの表示機能を有する携帯型時計装置であって、該携帯型時計装置は、
収納スペースを有する筐体からなり、該筐体内に
該時間及びデータを処理し、制御信号に従って、同装置内の機器の動作を制御するための制御回路ユニットと、
該時間及びデータを表示する表示ユニットと、
データを蓄積する記憶ユニットと、
該データを処理し、同装置内の機器の動作を制御する制御回路ユニットに制御信号を入力する入力ユニットと、
時計を提供する時計ユニットと、
装置内の機器に作動電圧を供給するバッテリーと、
紫外線の強度を検出する紫外線検出ユニットと、
紫外線の強度を累積し、該紫外線強度の累積線量を計測し、そして、該紫外線強度と累積線量を該表示ユニットに表示出力し、該記憶ユニットに記憶する時間強度累積機と、
を備えることを特徴とする携帯型時計装置。
【請求項２】
　上記時間は、時計の時間と、累積した紫外線量の累積時間とを示すことを特徴とする請求項１に記載の携帯型時計装置。
【請求項３】
　上記表示ユニットは液晶表示装置であり、該表示ユニットは、検出した紫外線強度と、紫外線の累積時間及び累積線量を表示するようになしたことを特徴とする請求項１に記載の携帯型時計装置。
【請求項４】
　上記携帯型時計装置は、さらに携帯用部材を備え、該携帯用部材はベルト、ネックレス等からなることを特徴とする請求項１に記載の携帯型時計装置。
【発明の詳細な説明】
【技術分野】
【０００１】
　本発明は、紫外線検知機能及び警告機能を有する携帯型時計装置に関し、特に適切な紫外線強度を検知し、正確な時刻と日にちを表示し、周囲の紫外線強度とその累積線量を検知し、表示できる携帯型時計装置に関する。
【背景技術】
【０００２】
　近年、オゾン層の破壊のために地球環境はますます深刻な状況になっており、紫外線の照射は皮膚の老化やしわ、皮膚がん、白内障やその他の眼科の病気、そして免疫機能の破壊などの人体の表面への害のような、人体に対する悪い影響が増えてきている。
通常我々は、天気予報からの参考程度の紫外線指数の情報が得られるだけであり、１日の間の周囲の紫外線強度を正確に得ることは困難であり、また過剰な紫外線による害を有効に予防し、防ぐことは難しい。
その為に、軽薄短小であると共に、安価である使い勝手のよい紫外線を検知する機能をする携帯式装置を利用することが必要である。この携帯式装置はさらに、長時間の装着が可能であり、ユーザがいつ、どこであっても都合良く周囲の紫外線強度を計測でき、警告をすることで傷害からの保護の効果を得ることができる。
【発明の開示】
【発明が解決しようとする課題】
【０００３】
　上述の問題点から、本発明の目的は、周囲の紫外線強度の情報をユーザに与えることができ、内蔵回路ユニットと時間データを有する時計ユニットで累積紫外線量を計算し、時計のような機能を有する携帯型時計装置だけでなく、我々への警告の効果を奏するような紫外線検知機能及び警告機能を有する携帯型時計装置を提供することである。そして、この携帯型腕時計装置は、人間を紫外線による傷害から防ぐために特に有効なツールである。
【課題を解決するための手段】
【０００４】
　上記目的を達成するために、本発明の紫外線検知機能及び警告機能を有する携帯型時計装置の第１の態様は、紫外線検知機能と、時間及びデータの表示機能を備える。この携帯型時計装置は、収納スペースを有する筐体に、時間及びデータを処理し、制御信号に基づいて装置内の動作を制御する制御回路ユニットと、時間及びデータを表示する表示ユニットと、データを累積する記憶ユニットと、制御回路ユニットに制御信号を入力し、該データを処理し、同装置内の機器の動作を制御する制御回路ユニットに制御信号を入力する入力ユニットと、時間データを備える時間ユニットと、装置内に作動電圧を供給するバッテリーと、紫外線の強度を検出する紫外線検出ユニットと、時間経過ごとの紫外線強度を累積し、紫外線強度の累積線量を計測し、出力された紫外線強度と累積線量を表示ユニットに表示し、記憶ユニットに蓄える時間強度累積機を有している。
【０００５】
　さらに、上記態様によれば、先に述べた時間とは、時計の時間と、累積した紫外線量の累積時間のことである。
【０００６】
　さらにまた、上記態様によれば、上記表示ユニットは液晶表示装置であり、その表示ユニットに表示されるデータは紫外線強度の検出と、紫外線の累積時間及び累積線量を含む。
【０００７】
　加えて、他の態様によれば、紫外線検知機能及び警告機能を有する携帯型時計装置はさらに、携帯式時計装置を持ち運ぶためのベルトやネックレスのような携帯用部材を備えている。
【発明の効果】
【０００８】
　請求項１に係る発明によれば、携帯式の時計に、紫外線検出ユニット及び時間強度累積機を設けたことにより、時間あたりの紫外線累積量を知ることができるようになり、ユーザがいつ、どのような場所であっても、周囲の紫外線強度を計測することができ、紫外線による人体への悪影響を防止することができるようになる。
【０００９】
　請求項２及び３に係る発明によれば、携帯式時計装置の表示ユニットは液晶からなり、時計の表示と、紫外線の累積線量及び累積時間を表示することができるようになり、ユーザの見やすい時計、紫外線累積線量及び紫外線累積時間を表示することができるようになる。
【００１０】
　請求項４に係る発明によれば、ベルトあるいはネックレス等の携帯用部材を備えることにより、持ち運びがより容易な携帯式時計装置を提供することができる。
【発明を実施するための最良の形態】
【００１１】
　以下、図面を用いて本発明に係る携帯型時計装置を説明する。図１は本発明に基づく好ましい構造を具体的に示したブロック図であり、図２は本発明により形成する具体的な物品を図解した透視図であり、図３は本発明の具体的な動作手順を示したフローチャートである。
【実施例】
【００１２】
　図１および図２によると、図１は、本発明に基づく紫外線検知機能及び警告機能を有する携帯型時計装置の好ましい構造を示したものであり、図２は、本発明の紫外線検知機能及び警告機能を有する携帯型時計装置の物品を示している。携帯式時計装置１は、筐体１０を備えており、この筐体１０は、制御回路ユニット１１と、表示ユニット１２と、記憶ユニット１３と、入力ユニット１４と、時計ユニット１５と、バッテリー１６と、紫外線検出ユニット１７と、時間強度累積機１８とを備える。
【００１３】
　図１および図２に示すように、制御回路ユニット１１は、データと、時計の時間と、内部から発生した制御信号、あるいは外部からの制御信号に基づいて装置内の機器の動作を処理するために使用されている。記憶ユニット１３は、データの蓄積に使用されている。入力ユニット１４は、制御回路ユニット１１に制御信号を入力するものであり、その制御信号はユーザにより、外部の制御ボタン２０によってなされる。このとき、制御回路ユニット１１は、データと、時計の時間とを処理し、選択ボタン１９で決定された選択モードに基づいて、装置内の各機器を制御するようになっている。
【００１４】
　液晶表示装置のような表示ユニット１２は、時間及びデータを表示するものであり、この表示されるデータとは、制御回路ユニット１１を介して選択ボタン１９により制御される。時計ユニット１５は一般的なデジタル時計の機能を有しており、また、時計時間と、タイマーのような累積時間の表示を行うことができるようになっている。この時計時間および累積時間は、選択ボタン１９で選択され、制御回路ユニットで制御されることにより表示ユニット１３に表示することができる。バッテリー１６は、装置内の対応する機器に作動電圧を供給することができる。
【００１５】
　本発明によれば、携帯式時計装置１はさらに紫外線検出ユニット１７を備える。この紫外線検出ユニット１７は、周囲の紫外線強度を検出するために設けられており、制御ボタン２０によって制御され、制御回路ユニット１１を介して表示ユニット１２に表示されるようになっている。紫外線の強さは紫外線検出ユニット１７によって計測され、紫外線指数と、最大照射時間を含む害がない許容照射範囲のデータを、表示ユニット１２に切り換え表示することができる。携帯式時計装置１は時間強度累積機１８をさらに備える。この時間強度累積機１８は、紫外線検出ユニット１７の紫外線強度のデータと、時計ユニット１５の時間データを受け取り、累積紫外線強度と時間から、紫外線強度の累積線量と、累積時間を選択されたモードによって表示ユニット１２に表示することができる。従って、表示ユニット１２に表示されるデータは、時計の時間を表示する代わりに、検知した紫外線強度と、その累積時間及び累積線量を表示するようになる。
【００１６】
　さらに、携帯型時計装置１は、携帯型時計装置１を持ち運ぶ携帯用部材２１を備える。この携帯用部材２１は、ベルトやネックレスなどのようなものとすることが可能であり、図２に記載の携帯用部材は一般的なベルトである。
【００１７】
　図３において、図３は本発明の好ましい動作手順を示したフローチャートであり、本発明の紫外線検出機能及び警告機能の一部の動作手順を説明したものであり、時計モードの時の時計としての動作は一般のデジタル時計と同様であるためここでは説明を省略する。
【００１８】
　はじめに、ステップＳ１において、選択ボタン１９により紫外線検知モードが選択される。周囲の紫外線強度の検出は紫外線検出ユニット１７で行われる。そして、ステップＳ２において、紫外線検出ユニット１７はプリセットしたパラメータによって検出した紫外線強度を計測し、紫外線指数と有害な照射となる許容範囲を得る。そしてそれらのデータは表示ユニット１２に表示され、ユーザへの参考となる。ステップＳ３において、紫外線検出ユニット１７は、紫外線指数が６単位よりも大きいかあるいは同程度であるかどうかを判断する。もし紫外線強度が６単位よりも大きいかあるいは同程度である場合は、ステップＳ４において、警報器（図示省略）を稼動させ、紫外線強度がユーザにとって害を及ぼすほど大きい状態であること表示し、警報を発する。この後ステップＳ５に移行し、ちなみに、紫外線強度が６単位よりも大きいかあるいは同程度でない場合は、直接ステップＳ５に移行する。ステップＳ５において、時間強度累積機１８で、紫外線線量の紫外線強度の計測とその累積時間の時間の計測を行う。
【００１９】
　その後、ステップＳ６において、上記紫外線線量と累積時間をユーザの参考として表示ユニット１２に表示させる。ステップＳ７において、時間強度累積機１８は、紫外線線量かあるいはその累積時間が設定値より大きいかどうかを判断する。紫外線線量あるいはその累積時間が設定値より大きいと判断された場合は、その後ステップＳ８に移行し、警告アラームは、紫外線線量あるいはその累積時間が過剰であり、ユーザに害を及ぼす危険性があることを表示する。紫外線線量あるいはその累積時間が設定値よりも大きくないと判断された場合は、その後ステップＳ１に戻り、再び周囲の紫外線強度の検知を行う手順を行う。警報機を作動させた場合は、ユーザがリセットボタン（図示省略）を押すことによりアラームの停止及び／または検知した値のリセットを行う。
【００２０】
　上記で述べた本発明の具体例は、本発明をこの具体例に制限することを意図するものでなく、簡単な同程度の変更や発明の請求の範囲を逸脱しない程度の修正は本質的に同様であると判断され、発明の範囲は付加されたクレームを参照すべきである。
【図面の簡単な説明】
【００２１】
【図１】本発明に基づく好ましい構造を具体的に示したブロック図である。
【図２】本発明により形成する具体的な物品を図解した透視図である。
【図３】本発明の具体的な動作手順を示したフローチャートである。
【符号の説明】
【００２２】
１　　携帯式時計装置
１０　筐体
１１　制御回路ユニット
１２　表示ユニット
１３　記憶ユニット
１４　入力ユニット
１５　時計ユニット
１６　バッテリー
１７　紫外線検出ユニット
１８　時間強度累積機
１９　選択ボタン
２０　制御ボタン
２１　携帯用部材
【図１】
2004117358.tif 000003
【図２】
2004117358.tif 000004
【図３】
2004117358.tif 000005